(57)【要約】      （修正有）【課題】  違和感のない良好なクリック感の得られる押しボタンスイッチを提供する。【解決手段】  ボタン部２には、非押下時には基板７と当接せず、押下時に基板に当接して座屈壁３が座屈変形するのを防止するリブ１７が形成されている。このため、ボタン部２の押下時は、背面１１側のベース部４と座屈壁３を結ぶ点Ｓを中心として回動して背面１１側の座屈壁を引っ張る力が発生せず、押下力が軽くなり、押下操作に違和感のない良好なクリックが得られる。【選択図】  図１
2006185776.tif 000002
【特許請求の範囲】
【請求項１】
ベース部と、前記ベース部から延出された座屈壁と、前記座屈壁に接続され前面と背面及び左右の側面を備えるボタン部と、前記ベース部が載置される基板と、前記ボタン部の前面との間で所定のクリアランスを保持しつつボタン部を突出させる貫通孔を設けたカバー体とを備える押しボタンスイッチにおいて、
前記ボタン部の背面側寄りの下方から突出形成され、非押下時に前記基板から離間し、押下時に基板に当接するとともに背面側の座屈壁の座屈変形を防止するリブと、
前記ボタン部の前記リブよりも前側寄りの下方から突出形成され、前記基板上に設けられた固定接点に対向し、非押下時には前記固定接点から離間し、押下時には前記固定接点と接触するとともに前面側の座屈壁の座屈変形を許容する可動接点とを備え、
押下時に、ボタン部は前記背面側のベース部と前記座屈壁を結ぶ点を支点として回動することを特徴とする押しボタンスイッチ。
【請求項２】
前記ボタン部が押下されたときに、前記リブが基板と当接すると同時に前記可動接点が前記固定接点に当接することを特徴とする請求項１に記載の押しボタンスイッチ。
【請求項３】
前記リブは、ボタン部の左側面近傍から右側面近傍に渡って横長に形成されている事を特徴とする請求項１又は請求項２に記載の押しボタンスイッチ。
【請求項４】
前記ボタン部は、背面側に薄肉部が形成され、前面側に該薄肉部よりも肉厚の肉厚部が形成され、該肉厚部の前面は、ボタン部の背面側の前記ベース部と前記座屈壁を結ぶ点を中心とする円弧面に形成され、押下時に前記貫通孔の壁面とボタン部の前面とは所定のクリアランスが保持されることを特徴とする請求項１乃至請求項３に記載の押しボタンスイッチ。
【請求項５】
前記ボタン部の前面と対向する前記貫通孔の壁面は、前記ボタン部の背面側のベース部と前記座屈壁を結ぶ点を中心とする半径で表される円弧面に形成されていることを特徴とする請求項４に記載の押しボタンスイッチ。
【発明の詳細な説明】
【技術分野】
【０００１】
本発明は、例えば電子辞書、テープ印字装置のような携帯用の電子機器、あるいはキーボード等に使用される押釦スイッチに関するものである。
【背景技術】
【０００２】
従来、押しボタンスイッチは、指先で押下操作されるキートップを備え、このキートップはスプリングのような弾性支持体によって支えられている。この弾性支持体の支持力に抗して押し下げ操作されて、キートップと一体的な可動接点を固定接点に接触させることで導通する電気回路が形成されるように構成している。
【０００３】
近年、携帯用電子機器において多くの操作指示用のスイッチ機構が用いられているもので、そのスイッチ機構を構成する押しボタンスイッチにあっては、例えば図７（Ａ）で示すようにシリコンゴムのような弾性を有する材料によってボタン部１０１を構成し、さらにこのボタン部１０１の下部にボタン部１０１と一体的に座屈壁１０３を設けて、この座屈壁１０３によってボタン部１０１が弾性的に支持されるようにしている。
【０００４】
この場合、ボタン部１０１はカバー体１０９に形成した貫通孔１０８を介して外部に突出されており、貫通孔１０８とボタン部１０１の周囲との間にある程度の間隔が存在する。ボタン部１０１をその真上から垂直に押下操作された場合には、ボタン部１０１がその軸線に沿って移動され、可動接点１１６と固定接点１０５ 、１０６ との接触が確実に行われるものである（図７（Ｂ）参照）。しかしながら、例えばボタン部１０１の一つの角部分に相当する隅部分が押下された場合には、ボタン部１０１が図７（Ｃ）で示すように傾いて移動され、可動接点１１６は、固定接点１０５ 、１０６の一部としか接触しないので、接触不良な状態となる。また、ボタン部１０１が傾いて押下されると、このボタン部１０１の外周がカバー体１０９の貫通孔１０８の内周と接触してボタン部１０１の復帰を阻害する。
【０００５】
この様な問題点に対処するため、例えば実公昭６３−４３７１５号公報に記載された技術においては、ボタンに沿って４面に形成された復帰弾性部の１面がボタンの操作力によって変位しないように、その下端が常に基板と接するか、その上端が常にボタンの下端に接する回動支持部をボタンの下側に設け、ボタンが操作されたときこの回動支持部を支点としてボタンが傾斜する片持動作をするようにした押しボタンスイッチが開示されている。
【０００６】
【特許文献１】実公昭６３−４３７１５号公報
【発明の開示】
【発明が解決しようとする課題】
【０００７】
しかしながら、上述した公報の押しボタンスイッチにおいては、上述したように片持動作するようにしたために、回動支持部がある側とは反対側のボタンの上面を押下すると回動支持部側においてボタンが復帰弾性部を引っ張る力が発生するので押下力が重くなり且つクリック感が出難いという問題がある。更に、この状態で押下の操作を繰り返すと復帰弾性部が破壊するという問題もある。
【０００８】
以上のような状況に鑑み、本発明は、上述した問題点を解決するためになされたものであり、違和感のない良好なクリック感の得られる押しボタンスイッチを提供することを目的とする。
【課題を解決するための手段】
【０００９】
前記目的を達成するために請求項１に係る押しボタンスイッチは、ベース部と、前記ベース部から延出された座屈壁と、前記座屈壁に接続され前面と背面及び左右の側面を備えるボタン部と、前記ベース部が載置される基板と、前記ボタン部の前面との間で所定のクリアランスを保持しつつボタン部を突出させる貫通孔を設けたカバー体とを備える押しボタンスイッチにおいて、前記ボタン部の背面側寄りの下方から突出形成され、非押下時に前記基板から離間し、押下時に基板に当接するとともに背面側の座屈壁の座屈変形を防止するリブと、前記ボタン部の前記リブよりも前側寄りの下方から突出形成され、前記基板上に設けられた固定接点に対向し、非押下時には前記固定接点から離間し、押下時には前記固定接点と接触するとともに前面側の座屈壁の座屈変形を許容する可動接点とを備え、押下時に、ボタン部は前記背面側のベース部と前記座屈壁を結ぶ点を支点として回動することを特徴とする。
【００１０】
また、請求項２に係る押しボタンスイッチは、請求項１に記載の押しボタンスイッチにおいて、前記ボタン部が押下されたときに、前記リブが基板と当接すると同時に前記可動接点が前記固定接点に当接することを特徴とする。
【００１１】
また、請求項３に係る押しボタンスイッチは、請求項１又は請求項２に記載の押しボタンスイッチにおいて、前記リブは、ボタン部の左側面近傍から右側面近傍に渡って横長に形成されている事を特徴とする。
【００１２】
また、請求項４に係る押しボタンスイッチは、請求項１乃至請求項３に記載の押しボタンスイッチにおいて、前記ボタン部は、背面側に薄肉部が形成され、前面側に該薄肉部よりも肉厚の肉厚部が形成され、該肉厚部の前面は、ボタン部の背面側の前記ベース部と前記座屈壁を結ぶ点を中心とする円弧面に形成され、押下時に前記貫通孔の壁面とボタン部の前面とは所定のクリアランスが保持される。
【００１３】
また、請求項５に係る押しボタンスイッチは、請求項４に記載の押しボタンスイッチにおいて、前記ボタン部の前面と対向する前記貫通孔の壁面は、前記ボタン部の背面側のベース部と前記座屈壁を結ぶ点を中心とする半径で表される円弧面に形成されていることを特徴とする。
【発明の効果】
【００１４】
請求項１に係る押しボタンスイッチでは、押下時にボタン部が背面側のベース部と座屈壁を結ぶ点を支点として回動するため、押下時に背面側の座屈壁を引っ張る力が発生しないので、初めからリブと基板が当接している場合に比べて押下力が軽くなり、且つクリック感が生じ、操作に違和感のないクリック感が得られるという効果がある。
また、押下時に背面側の座屈壁の座屈変形が防止され、且つこの座屈壁を引っ張る力が発生しないので、変形による負荷を受けない。故に、この座屈壁が変形による負荷を受けて破壊されるということもない。
【００１５】
また、請求項２に係る押しボタンスイッチでは、押下時に、可動接点が固定接点に、リブが基板に各々当接した後に更に押下しても、可動接点とリブによって、座屈壁が当接時の変形状態以上に変形することがなく、ボタン部の振れを防止できるという効果がある。
【００１６】
また、請求項３に係る押しボタンスイッチでは、ボタン部の押下される位置が左右にどちらにずれたとしても、リブが基板に当接することにより、ボタン部の傾きを補正することができ、ボタン部の左右側面が貫通孔の壁面と当接することを防ぐことができることによって、ボタン部のスティックを防止することができる。また、ボタン部の背面側の薄肉部における剛性を強化するという効果もある。
【００１７】
また、請求項４に係る押しボタンスイッチでは、押下時に、貫通孔の壁面とボタン部の前面が当接しないので、さらに操作に違和感のない良好なクリック感が得られると共に、ボタン部のスティックが起こらないという効果がある。更に、ボタン部とカバー体が少ない隙間でできるので、カバー体内を露出することなくデザイン的な自由度が生じるという効果もある。
【００１８】
また、請求項５に係る押しボタンスイッチでは、カバー体の貫通孔の壁面に設けられた円弧面とボタン部の前面に設けられた円弧面とが当接することもなく、さらに操作に違和感のない良好なクリック感が得られるという効果がある。また、ボタン部とカバー体の貫通孔の隙間を均一にすることができ、さらにカバー体内を露出することなくデザイン的な自由度が生じるという効果もある。
【発明を実施するための最良の形態】
【００１９】
以下、本発明に係る押しボタンスイッチについて、本発明を具体化した第１実施形態に基づき図面を参照しつつ詳細に説明する。先ず、本第1実施形態に係る押しボタンスイッチの概略構成について図１乃至図５に基づき説明する。図１は、第１実施形態で本発明が適用された押しボタンスイッチの非押下時における断面図、図２は、第１実施形態で本発明が適用された押しボタンスイッチの動作部材を示す図、図３は、第１実施形態の固定接点の形状を示す図である。（Ａ）は、１ユニットのサイズの固定接点の形状を示す図、（Ｂ）は、長尺サイズの固定接点の形状を示す図、図４は、第１実施形態で本発明が適用された押しボタンスイッチの動作を説明する図である。（Ａ）は、ボタン部の非押下の状態を示す図、（Ｂ）は、ボタン部の押下の途中の状態を示す図、（Ｃ）は、ボタン部の可動接点が基板の固定接点と当接した状態を示す図、図５は、第１実施形態で本発明が適用された押しボタンスイッチにおいて、ボタン部の薄肉部を押下した場合の状態を示す図である。
【００２０】
図１、図２に示すように、押しボタンスイッチ１は、大別して、ボタン部２、ボタン部２の下端部周囲には下方に向かって、且つ外方に向かって広がるように一体に成型された薄肉の座屈壁３、座屈壁３の下端部と一体に成型されたベース部４、ベース部４を載置し固定接点５、６と回路パターンが形成された基板７、基板７を固定しボタン部２の周囲と所定のクリアランスを保持しつつボタン部２が上方に突出される貫通孔８が設けられたカバー体９から構成されている。
【００２１】
押しボタンスイッチ１は、基板７、カバー体９を除いてシリコンゴム、EPDM（エチレンプロピレンゴム）等の合成ゴムから形成され、ボタン部２の上面（表面）には、数字、英字等の文字や記号が印刷、刻印等により付されている。かかるボタン部２は、前面１０と背面１１及び左右の側面１２、１３を有する角柱状に形成され、前面１０の上端から下方に向かって半ばにかけて、背面１１側の座屈壁３とベース部４を結ぶ点Ｓを中心とする半径Ｒ１の円弧面１４が形成されている。尚、この円弧面１４は、ボタン部２の前面１０の上端から下端にかけて形成されていてもよい。
また、ボタン部２の下面の前面側寄りには下方に向かって突出した突出部１５が形成され、この突出部１５は、前面側が背面側よりも低くなるように形成されている。突出部１５の先端には、前記基板７の固定接点５、６と対向し、押しボタンスイッチ１のオン・オフ動作を行なうための横長の可動接点１６が設けられている。この突出部１５は、押下時には前記可動接点１６が固定接点５、６に当接するが、その当接の際に、前面１０側の座屈壁３が座屈変形することを許容するのに十分な高さを有する。
更に、ボタン部２の下面の背面１１側寄りには、非押下時には基板７と当接しないリブ１７が突出形成されている。このリブ１７は、ボタン部２の左側面１２近傍から右側面１３近傍に渡って横長に形成されている。また、リブ１１は、押下時に基板７に当接するが、その当接の際、背面１１側の座屈壁３が座屈変形するのを防ぐのに十分な高さを有する。
そして、ボタン部２は、背面１１側を薄肉部１８に、前面１０側を該薄肉部１８よりも肉厚の肉厚部１９に形成し、通常は、この肉厚部１９が押下される。尚、薄肉部１８は、前記横長のリブ１７によって剛性が強化されている。
【００２２】
座屈壁３は、ボタン部２とベース部４の間で薄肉状に一体に成型されており、最適なクリック感を出現するための傾斜角と肉厚で形成されている。また、ベース部４も座屈壁３の下端と一体に成型されて最適なクリック感を出現するための基盤として機能している。そして、連続した多数の押しボタンスイッチ１を形成する場合は、このベース部４が一体に成型される。これらボタン部２、座屈壁３、ベース部４から押しボタンスイッチ１の機能部材２０が構成される。（図２参照）
【００２３】
基板７は、紙フェノール、紙エポキシ、ガラスエポキシ等の基材に接着された銅箔をエッチングの手法や導電インクの印刷や焼付けの手法によって、その表面に固定接点５、６と回路パターンが形成される。前述したように基板７の上面には、可動接点１６に対応した位置に固定接点５、６と回路パターンが形成されボタン部２が押下されると可動接点１６と固定接点５、６が当接して可動接点１６を通じて固定接点５、６間が導通し、例えば、固定接点５側の信号が固定接点６側に伝達される。そして、連続した多数の押しボタンスイッチ１を形成する場合は、１枚の基板７の上面に多数の固定接点５、６が形成される。図３に固定接点５、６の形状を示す。図３（Ａ）は、１ユニットサイズの固定接点５、６の形状を示し、図３（Ｂ）は、長尺サイズの固定接点５、６の形状を示す。固定接点５、６は各々櫛歯形状に形成され、互いに櫛歯が接触することなく、且つ一方の固定接点の櫛歯が他方の固定接点の櫛歯間に位置するように配置され、横長の可動接点１６の長手方向に対しては櫛歯が直角になるように配置されている。これによって、可動接点１６が固定接点５、６に確実に当接されるようになる。
【００２４】
カバー体９には、前述したように壁面２１を備えた貫通孔８が設けられている。ボタン部２は、その前面１０、背面１１及び左右の側面１２、１３と壁面２１とが所定のクリアランスを保持した状態で、貫通孔８から突出している。そして、連続した多数の押しボタンスイッチ１を形成する場合は、１枚のカバー体９に多数の貫通孔８が形成される。
【００２５】
このように構成された押しボタンスイッチを組み立てるには、全ての部材の天地を逆にして作業する。先ず、カバー体９がカバー体９の天地を逆にして置かれ、機能部材２０がカバー体９の貫通孔８に機能部材２０のボタン部２を貫通させながら載置され、その上に基板７がボタン部２の可動接点１６と基板７の固定接点５、６の位置を合わせながら載置される。最後に、カバー体９から延出された図示しないボスに基板７の裏面から図示しないネジでネジ締めすることによって、カバー体９に機能部材２０を挟んで基板７が固定され、押しボタンスイッチ１が完成する。また、基板７を固定する方法として、カバー体９から延出された図示しないボスのフック部に基板７を押圧してフック部に弾性的に係止してもよい。このように組み立てられた押しボタンスイッチ１は、電子辞書、テープ印字装置のような携帯用の電子機器の入力装置、あるいはキーボード等に使用される。
【００２６】
前述のように組み立てられた押しボタンスイッチ１の動作を図４（Ａ）、（Ｂ）、（Ｃ）に基づいて説明する。図４（Ａ）は、押しボタンスイッチ１が非押下の状態であることを示す。この状態では、座屈壁３は座屈しておらず、可動接点１６、リブ１７共に基板７から離間している。
【００２７】
図４（Ｂ）は、ボタン部２が押下の途中の状態であることを示す。操作者の指は、一番高く突出している肉厚部１９を中心にしてボタン部２を押下する。そのため、ボタン部２は、この押下位置とボタン部２の剛性とボタン部２の左右の側面１２、１３側（図２参照）と背面１１側の座屈壁３のバランスによって背面１１側の座屈壁３とベース部４を結ぶ点Sを中心として回動する。図４（Ｂ）では、ボタン部２の前面１０側の座屈壁３がボタン部２の押下によって圧縮変形を開始している状態である。一方、背面１１側の座屈壁３は座屈変形していない。このときもまだ可動接点１６、リブ１７は、共に基板７から離間している。
【００２８】
さらなるボタン部２の押下に伴って、背面１１側の座屈壁３とベース部４を結ぶ点Sを中心とするボタン部２の回動が進み、ボタン部２の背面１１側の座屈壁３は座屈変形せずに前面１０側の座屈壁３が座屈変形してクリック感が出現され、ボタン部２の可動接点１６が基板７の固定接点５、６に当接される。図４（Ｃ）は、この状態を示している。このとき、例えば、可動接点１６を通じて、固定接点５、６間が導通し、固定接点５側の信号が固定接点６側に伝達される。また、このとき可動接点１６とリブ１７は、同時に基板７当接する。これによって、ボタン部２の押下特性が滑らかになり、良好なクリック間が得られることになる。尚、この操作でリブ１７が可動接点１６と固定接点５、６が当接する
以前に基板７に当接する場合は、ボタン部２を押下した際にボタン部２が左右へ傾いたときであるが、リブ１７が基板７に当接することによってボタン部２の左右の傾きを補正することができる。また、ボタン部２が押下される前からリブ１７が基板７と当接している場合にボタン部２を押下すると、リブ１７側の座屈壁３を引っ張る力が発生して押下力が重くなり且つクリック感が出難かったが、ボタン部２の押下操作時に可動接点１６とリブ１７が同時に固定接点５、６と基板７に当接するようにしたので、ボタン部２の面を押下してもリブ１７側の座屈壁３を引っ張る力の発生を防ぐことができる。
【００２９】
更に、ボタン部２の前面１０には、その上端から半ばにかけてボタン部２の背面１１側の座屈壁３とベース部４を結ぶ点Sを中心とする半径Ｒ１（図４（Ａ）参照）で表される円弧面１４が設けられており、このボタン部２の円弧面１４とカバー体９の壁面２１の間にクリアランス（図４（Ａ）参照）が設けられているので、前記点Sを中心としてボタン部２を回動しても円弧面１４とカバー体９の壁面２１が当接することはない。このため、ボタン部２の円弧面１４とカバー体９の壁面２１の間のクリアランスを必要最小限にすることができる。
【００３０】
続いて、押しボタンスイッチ１のボタン部２の薄肉部１８を押下した場合の状態を図５に基づいて説明する。ボタン部２の薄肉部１８を押下するとリブ１７は、ボタン部２の背面１１側の座屈壁３が座屈変形しない状態で基板７に当接する。そのためボタン部２の傾きやボタン部２のスティックが起こらない。また、ボタン部２の背面１１側の座屈壁３は、座屈変形や引っ張り変形することがないので、変形による負荷を受けない。操作者は、クリック感の出る肉厚部１９の方を押下するようになる。
【００３１】
以上、詳細に説明した通り、第１実施形態に係る押しボタンスイッチ１では、ボタン部２の下面の前面１０側寄りに下方に向かって突出する突出部１５を形成し、この突出部１５の先端に、基板７上に形成された固定接点５、６に対向する可動接点１６を設けた。更に、ボタン部２の背面１１側寄りに下方に向かって突出するリブ１７を設けた。そして、このリブ１７は、非押下時には、基板７から離間しており、押下時には、背面１１側の座屈壁の座屈変形を防ぐ。前記突出部１５もまた、非押下時には、固定接点５、６から離間し、押下時には、可動接点１６を固定接点５、６に当接させると共に、前面１０側の座屈壁の座屈変形を許容する。
故に、ボタン部２は、押下時には、背面１１側のベース部４と座屈壁３を結ぶ点Ｓを支点として回動するので、背面１１側の座屈壁を引っ張る力が発生せず、押下力が軽くなり、押下操作に違和感のない良好なクリックが得られるという効果がある。
また、押下時に、背面１１側の座屈壁３の座屈変形が防止され、且つ、この座屈壁を引っ張る力も発生しないので、背面１１側の座屈壁３は変形による負荷を受けず、破壊されることもない。
【００３２】
また、押下時に、可動接点１６が固定接点５、６に当接すると同時にリブ１７が基板７に当接するので、当接した後に、更にボタン部２が押下されたとしても、可動接点１６が固定接点５、６と当接し、リブ１７が基板７と当接した時点での変形状態以上に座屈壁３が変形しないので、ボタン部２の振れを防止することができる。
【００３３】
また、リブ１７がボタン部２の左側面１２近傍から右側面１３近傍に渡って横長に形成されているため、ボタン部２の押下される位置が左右のどちらかにずれたとしても、リブ１７が基板７に当接することにより、ボタンの傾きを補正することができ、ボタン部２の左右側面１２、１３が貫通孔８の壁面２１と当接することを防ぐことができ、ボタン部２のスティックを防止することができる。また、ボタン部２の背面１１側の薄肉部１８における剛性を強化するという効果もある。
【００３４】
また、ボタン部２の前面１０は、その上端から半ばにかけて、背面１１側のベース部４と座屈壁３を結ぶ点Ｓを中心とする半径Ｒ１（図４（Ａ）参照）の円弧面１４が形成され、押下時に、ボタン部２は、前記点Ｓを中心に回動するので、ボタン部２の前面は貫通孔８の壁面２１と当接することがなく、押下操作に違和感のない良好なクリック感が得られるという効果がある。また、カバー体９の貫通孔８の壁面２１とボタン部２の前面１０が当接しないので、ボタン部２のスティックを防止できるという効果もある。更に、ボタン部２とカバー体９との隙間を小さくできるので、カバー体９内の露出を極力少なくすることができ、デザイン的な自由度が生じるという効果もある。
【００３５】
次に、本発明に係る第２実施形態を図面と共に説明する。第２実施形態に係る押しボタンスイッチは、第１実施形態に係る押しボタンスイッチ１とほぼ同様であり、カバー体の一部構成が異なっている。図６は、第２実施形態で本発明が適用された押しボタンスイッチの断面図である。（Ａ）は、ボタン部の非押下の状態を示す図、（Ｂ）は、ボタン部の可動接点が基板の固定接点と当接した状態を示す図である。上述した通り、第２実施形態は第１実施形態とほぼ同一であるので、図中で使用されている符号は、第１実施形態と同一機能のものは同じ符号を使用し、その説明を省略してポイントのみを説明する。
【００３６】
図６（Ａ）、（Ｂ）に示すように、そのポイントは、カバー体９の貫通孔８のボタン部２の前面１０に対向する壁面２１にもボタン部２の背面１１側の座屈壁３とベース部４を結ぶ点Sを中心とする半径Ｒ２の円弧面２２が設けられていることである。それぞれの半径の差である（Ｒ２−Ｒ１）が貫通孔８の壁面２１とボタン部２の前面１０との間のクリアランスとなり、図６（Ｂ）に示すようにボタン部２の円弧面１４が、ボタン部２の背面１１側の座屈壁３とベース部４を結ぶ点Sを中心に回動されてもカバー体９の貫通孔８の壁面２１に設けられた円弧面２２とは常に同一のクリアランスとなって当接することはない。
【００３７】
以上説明した通り、第２実施形態に係る押しボタンスイッチ１では、ボタン部２の前面１０と対向するカバー体９の貫通孔８の壁面２１は、ボタン部２の背面１１側のベース部４と座屈壁３を結ぶ点Ｓを中心とする半径Ｒ２の円弧面２２に形成されているので、カバー体９の貫通孔８の壁面２１に設けられた円弧面２２とボタン部２の前面１０に設けられた円弧面１４とが常に同一のクリアランスを維持し、当接することもなく、操作に違和感のない良好なクリック感が得られるという効果がある。また、ボタン部２とカバー体９の貫通孔８のクリアランスを常に均一にすることができ、操作者にカバー体９内を露出しなくて済むという効果とデザイン的に自由度が生じるという効果もある。
【００３８】
尚、本発明は前記第１実施形態及び第２実施形態に限定されることはなく、本発明の要旨を逸脱しない範囲内で種々の改良、変形が可能であることは勿論である。
【００３９】
例えば、前記第１実施形態及び第２実施形態では、紙フェノール、紙エポキシ、ガラスエポキシ等の基材に接着された銅箔をエッチングの手法や導電インクの印刷や焼付けの手法によって製作される基板７を使用していたが、この基板７を金属等の支持板にして、その上にポリエステルフィルム等で製作されるメンブレンスイッチを載置してもよい。これは薄型化に効果がある。
【００４０】
また、ボタン部２の剛性を上げるために、成型時にボタン部２の上面側に硬質の異なる材質の合成ゴムをインサート成型してもよい。あるいは、ボタン部２の上面側にＡＢＳ等の樹脂を接着しても良い。
【００４１】
また、ボタン部２に設けられているリブ１７と同一形状の部材を基板７側に設けてもよい。あるいは、基板７を金属支持板とポリエステルフィルム等で製作されるメンブレンスイッチの組合せにして金属支持板を絞り出してリブを製作してもよい。
【図面の簡単な説明】
【００４２】
【図１】第１実施形態で本発明が適用された押しボタンスイッチの非押下時における断面図である。
【図２】第１実施形態で本発明が適用された押しボタンスイッチの動作部材を示す図である。
【図３】第１実施形態の固定接点の形状を示す図である。（A）は、１ユニットのサイズの固定接点の形状を示す図、（B）は長尺サイズの固定接点の形状を示す図である。
【図４】第１実施形態で本発明が適用された押しボタンスイッチの動作を説明する図である。（A)は、ボタン部の非押下の状態を示す図、（B)は、ボタン部の押下の途中の状態を示す図、（C)は、ボタン部の可動接点が基板の固定接点と当接した状態を示す図である。
【図５】第１実施形態で本発明が適用された押しボタンスイッチにおいて、ボタン部の薄肉部を押下した場合の状態を示す図である。
【図６】第２実施形態で本発明が適用された押しボタンスイッチの断面図である。（Ａ）は、ボタン部の非押下の状態を示す図、（Ｂ）は、ボタン部の可動接点が基板の固定接点と当接した状態を示す図である。
【図７】従来の押しボタンスイッチの断面図である。（Ａ）は、非押下の状態を示す図、（Ｂ）は中央押下の状態を示す図、（Ｃ）は隅押下の状態を示す図である。
【符号の説明】
【００４３】
１．押しボタンスイッチ
２．ボタン部
３．座屈壁
４．ベース部
５．固定接点
６．固定接点
７．基板
８．貫通孔
９．カバー体
１０．前面
１１．背面
１２．側面
１３．側面
１４．円弧面
１６．可動接点
１７．リブ
１８．薄肉部
１９．肉厚部
２１．壁面
２２．円弧面
Ｒ１．半径
Ｒ２．半径
Ｓ．点
【図１】
2006185776.tif 000003
【図２】
2006185776.tif 000004
【図３】
2006185776.tif 000005
【図４】
2006185776.tif 000006
【図５】
2006185776.tif 000007
【図６】
2006185776.tif 000008
【図７】
2006185776.tif 000009